(57)【要約】      （修正有）【課題】アレルギーを有していることが瞬時に把握でき、さらに緊急時に、個々が有するアレルギーに関する情報を素早く得ることで、早期に応急処置が期待できることを目的とするアレルギー専用の多重ワッペンを提供する。【解決手段】食物アレルギーやアナフィラキシー症状を有していることが容易に連想できるようイラストと英文字と日本文字を用いて注意を促し、さらに食物アレルギーのみを有する者とアドレナリン自己注射薬を持つ者を二つのデザインで区別することによって、個々の持つアレルギーの深刻度が一目で分かる。また、内部にはアレルギーを持つ者がそれぞれのアレルゲンや周知したい緊急連絡先などの情報を、記載できる情報記入面のスペースを設けることで、緊急時に素早い判断の元、応急処置が期待できる。【選択図】図１
0003198241.tif 000002
【実用新案登録請求の範囲】
【請求項１】
ワッペンとワッペンが重なり合う面の内側全体に情報記入面を設け、個人情報の保護、所有者を明確にするだけでなく、その他必要な情報等を記載することができる特徴を持つ多重ワッペン。
【請求項２】
アレルギーやアナフィラキシー症状を有していることが容易に連想できるデザインワッペンであり、且つ、ワッペンに個々の持つアレルギーの詳細や必要な詳細を記載することができる特徴を備えたアレルギー専用のワッペン。
【考案の詳細な説明】
【技術分野】
【０００１】
本考案は、アレルギーを有する者がそのアレルゲンの情報を周知するために使用する多重ワッペンである。
【背景技術】
【０００２】
従来の技術として同様なものは無いが、現在、一部の保育園や幼稚園などの教育機関では、アレルギー情報を記載した安全ピン付きの名札を使い、アレルギー対策を図っているところもある。（非特許文献１参照）（非特許文献２参照）
【０００３】
しかしながら、その一部の教育機関で使用されている名札は、独自のデザイン、独自のルールで使用しているため、そこに所属している関係者以外の人には、一目でアレルギーを持っているという事が浸透されにくいという欠点がある。
【０００４】
また、使用されている独自の名札には、アドレナリン自己注射を持っている者も、軽度、中度のアレルギーを有する者と同様にアレルギーという一括りで分類しているので、緊急を要した際に、アドレナリン自己注射が必要なのか判断がつきにくく素早く応急処置ができないのではないかという疑問点があった。
【０００５】
アレルギーの名札は安全ピンで服に取り付ける必要があり、付け忘れてしまうという事も考えられる。アレルギーを有する者を名札で判断するにあたり、付け忘れてしまうという事は、アレルギーを有する者とそうでない者との区別が付かず、事故につながる恐れが考えられる。
【０００６】
また、ワッペンの形状が類している物が現在販売されている。しかしその、二重又は、多重のワッペンの多くは、ワッペン同士が重なり合っている面に名前を記載できるスペースを持ち、所有者を明確にすること、また個人情報の保護するものであって、その他の情報を記載したりすることを目的として作られていない。（特許文献１参照）
【０００７】
しかしながら、二枚のワッペンが重なり合っている面すべてに記載できるスペースを持つワッペンは無く、所有者を明確にすること以外、二重ワッペンを必要とすることがほとんど無かった。
【先行技術文献】
【特許文献】
【０００８】
【特許文献１】特許公開平１１−３８８８１号公報
【非特許文献】
【０００９】
【非特許文献１】“食物アレルギーサインプレート”．ＡＬサインプロジェクト．２０１３．http://alsign.org/signplate.html、（参照２０１４-１２-２０）．
【００１０】
【非特許文献２】“園での生活”．学校法人大森学園つしま幼稚園．http://oomorigakuen.ed.jp/event.html、（参照２０１４-１２-２０）．
【考案の概要】
【考案が解決しようとする課題】
【００１１】
本考案は以上のような従来の欠点に鑑み、アレルギーを有していることが瞬時に把握でき、さらに緊急時に、個々が有するアレルギーの情報を素早く得ることで、周囲の者が早期に適切な応急処置を施すことが期待できることを目的とするアレルギー専用の多重ワッペンである。
【００１２】
二重ワッペンに関して解決しようとする問題点は、従来の二重ワッペンは、所有者を明確にする目的で販売されているので、記入面は名前を書くだけのスペースしか無かった点である。
【課題を解決するための手段】
【００１３】
本考案は、スプーンやフォーク、また自己注射といった食物アレルギーやアナフィラキシー症状を有していることが容易に連想できるようなイラストを用いたアレルギー専用のワッペンである。これは、食物アレルギーのみを有する者とアレルギーを有し、尚且つアドレナリン自己注射薬を持つ者を二つのデザインのワッペンで区別することによって、個々の持つアレルギーの深刻度が一目でわかるようにし、多くの人に理解を得ること、そして緊急時には適切な応急処置が容易に連想できるようなデザインが特徴である。
【００１４】
アレルギー専用のワッペンは名札と違い、付け忘れるということもなく、常に身に着けることができるため、名札よりも正確にアレルギーを有する者を把握することができる。さらに安全ピンなどを必要としないので安全面にも優れている特徴がある。
【００１５】
ワッペンの内側（情報記入面）には周知したい情報、緊急連絡先などが十分に記載できるスペースを設けることで、緊急時に素早い判断の元、応急処置が期待できる特徴を持つ。
【考案の効果】
【００１６】
本考案のワッペンは、アレルギーを持っていることが一目で判断できるものであり、さらにワッペンを多重にし、内部にアレルギ―を有する者の氏名や緊急連絡先等の個人情報を明確に記載することで、緊急時に素早い判断の元、応急処置が期待できる利点を持つ。
【図面の簡単な説明】
【００１７】
【図１】食物アレルギーのワッペンの表面を上から見た図である。
【図２】アナフィラキシーのワッペンの表面を上から見た図である。
【図３】ワッペンの断面図である。
【図４】開いた状態のワッペンを横から見た図である。
【考案を実施するための形態】
【実施例１】
【００１８】
図１では、主に食物アレルギ―を有する者に対して、スプーンやフォークといった食事や食べ物を容易に連想できるようなイラストを用い、図２では、主にアレルギーを有し、尚且つアドレナリン自己注射薬を持つ者に対して、自己注射薬のイラストを用いることで、容易にアレルギーの重軽度を連想できるよう区別した。
【００１９】
図１では、青色系統（数１）、（数２）、（数３）を基調とし、図２では黄色系統（数４）、（数５）、（数６）を基調とした。これは、道路標識同様に、輪郭をはっきりさせ、さらに視認性を高める効果がある黄色は、より深刻なアレルギーを有する方はデザイン図２に用いて、図１よりもより注意喚起を促す効果が期待できるようにした。
【００２０】
図１と図２では、アレルギーを有しているという事を文字とそれぞれのイラストを用いて示すことで必要な情報がすぐに分かるようにした。また文字は日本語と英語で表記することで、より多くの人が理解できるようにした。
【実施例２】
【００２１】
ワッペンの絵柄全てを刺繍で絵柄を作成したことで、洗濯や多少のダメージにも強く、さらにアイロンを施しても糸が溶けることなく使用することができるので、ワッペンの柄や文字が明確である。
【実施例３】
【００２２】
図３より、容易にワッペンが取り付けられるように裏面は家庭アイロンでも接着が可能なアイロン接着シートを使用した。
【実施例４】
【００２３】
図４より、文字が滲みにくく、且つ文字が書きやすい、滲み防止加工の布を使用することでその情報を明確に記載できるようにした。
【００２４】
図４より、二枚のワッペンが重なり合っている面全て、情報記入を可能にしたことで、アレルギーを持つ者がそれぞれのアレルゲンや周知しておきたい情報や緊急連絡先などが十分に記載できるスペースを設けるようにした。
【００２５】
図４より、情報記入面を設けることで、緊急時に素早い判断の元、応急処置が期待できる。また、情報記入面が内側にあるため、アレルギ―保持者の氏名や緊急連絡先等の個人情報を保護する目的も兼ね備えている。
【産業上の利用可能性】
【００２６】
自身が有するアレルゲンを明確に把握し、食事の際にアレルゲンの除去、もしくは食事に含まれるアレルゲンを摂取しないよう自身で判断すること、又は周囲にその旨を伝えることが難しい子どもや高齢者などが、個々のアレルギーに関する詳細を記入したワッペンを着けることで、その情報を周知しアレルギー症状引き起こすことを未然に防止する際に適用できる。
【符号の説明】
【００２７】
１刺繍絵柄
２重ね縫製部分
３アイロン接着シート
４滲み防止加工
５情報記入面。
【図１】
0003198241.tif 000003
【図２】
0003198241.tif 000004
【図３】
0003198241.tif 000005
【図４】
0003198241.tif 000006
【手続補正書】
【提出日】平成27年4月15日(2015.4.15)
【手続補正１】
【補正対象書類名】実用新案登録請求の範囲
【補正対象項目名】請求項２
【補正方法】変更
【補正の内容】
【請求項２】
ワッペンの表面に絵柄を設け、絵と文字でアレルギーの注意喚起をすることで、アレルギーやアナフィラキシーの症状を有していることが容易に連想でき、且つワッペンとワッペンが重なりあう面全体に滲み防止加工を施すことで、ワッペンに個々の持つアレルギーの詳細や緊急連絡先等の必要な詳細を記載することができる特徴とする請求項１記載の多重ワッペン。
【手続補正２】
【補正対象書類名】図面
【補正対象項目名】図３
【補正方法】変更
【補正の内容】
【図３】
0003198241.tif 000007